(57)【要約】【課題】  加入者識別モジュール（ＳＩＭ）カードコネクタの提供。【解決手段】  複数の端子収容溝を具えた絶縁フレームと、該端子収容溝に取り付けらた導電端子とを具え、そのうち該導電端子が本体に上向きに傾斜するように加圧加工されてなる接触アームを具え、該接触アームが連接部と接触部を具え、また、該本体にあって該接触部と反対の両側の側端に、上向きのフックが設けられ、該本体にあって該連接部と反対の位置にソルダーアームが設けられ、このような構造により、接触アームが接触弾性を具備するのみならず、有効に高さを減らし、小型化の発展傾向に適合するものとされている。【選択図】        図１
0003113412.tif 000002
【実用新案登録請求の範囲】
【請求項１】
加入者識別モジュール（ＳＩＭ）カードのデータ伝送に用いられるデジタルカードコネクタであって、
絶縁フレームであって、デジタルカードを収容するカードスロットを共同で形成する本体、両側辺、及び底辺を具え、該底面上に複数の端子収容溝が設けられ、各端子収容溝は底面を貫通する開口部と開口部の周辺の干渉部を具えている、上記絶縁フレームと、
複数の導電端子であって、複数の端子収容溝内に収容され、各導電端子は本体を具え、該本体に、端子収容溝の開口部に対応するように、上向きに傾斜する接触アームが一体に形成され、該接触アームが連接部と接触部を具え、また、干渉部に対応するように、一体に上向きのフックが形成され、該接触アームにあって連接部と反対の位置にソルダーアームが設けられた、上記複数の導電端子と、
を包含し、複数の導電端子が下から上に絶縁フレームの端子収容溝に取り付けられ、導電端子の接触部が端子収容溝の開口部に取り付けられ、フックが端子収容溝の干渉部と干渉を形成するよう組み合わされ、ソルダーアームが携帯電話の回路板に半田付けされることを特徴とする、デジタルカードコネクタ。
【請求項２】
請求項１記載のデジタルカードコネクタにおいて、端子収容溝が三つが等距離に一列に配列され、二列が相互に対応するように絶縁フレームの底面に配置されたことを特徴とする、デジタルカードコネクタ。
【請求項３】
請求項２記載のデジタルカードコネクタにおいて、導電端子のフックが本体と垂直に加圧加工により形成されたことを特徴とする、デジタルカードコネクタ。
【請求項４】
請求項３記載のデジタルカードコネクタにおいて、開口部が絶縁フレームの底面の底側に位置し、更に導電端子の連接部に圧接されるストッパ壁が設けられたことを特徴とする、デジタルカードコネクタ。
【請求項５】
請求項４記載のデジタルカードコネクタにおいて、導電端子の接触アームの接触部が円弧状に形成され、ＳＩＭカードの接触片との接触に供されることを特徴とする、デジタルカードコネクタ。
【請求項６】
請求項５記載のデジタルカードコネクタにおいて、導電端子のソルダーアームが折り曲げられて表面実装に供されることを特徴とする、デジタルカードコネクタ。
【請求項７】
請求項１記載のデジタルカードコネクタにおいて、シールドを更に包含し、該シールドが絶縁フレームの底面上方を被覆し、該シールドは第１遮蔽面と、第１遮蔽面の対向する両側に位置して絶縁フレームの両側面に取り付けられる第２、３遮蔽面とを具えたことを特徴とする、デジタルカードコネクタ。
【請求項８】
請求項７記載のデジタルカードコネクタにおいて、シールドの第２、３遮蔽面と絶縁フレームの両側辺の側端に、相互に係合する第１係合体と第２係合体が設けられ、該第１係合体が絶縁フレーム両側辺に設置された係合柱とされ、第２係合体が、第２、３遮蔽面のに第１係合体に対応するように設けられた係止溝とされたことを特徴とする、デジタルカードコネクタ。
【請求項９】
請求項８記載のデジタルカードコネクタにおいて、シールドの第２、３遮蔽面と絶縁フレームの両側辺の側端に、更に挟持アームと挟持溝が設けられてシールドがこれにより更に強固に組み合わされることを特徴とする、デジタルカードコネクタ。
【請求項１０】
請求項９記載のデジタルカードコネクタにおいて、絶縁フレームの両側面及び底面が共同で形成するカードスロットの長さが延長されて異なる規格のＳＩＭカードの挿入が可能とされたことを特徴とする、デジタルカードコネクタ。
【考案の詳細な説明】
【技術分野】
【０００１】
本考案は一種のデジタルカードコネクタに係り、特に携帯電話の加入者識別モジュール（ＳＩＭ）カードのデータ伝送に用いられ、小型化の発展傾向に符合するものに関する。
【背景技術】
【０００２】
各携帯電話の暗証番号に対応して一枚のＳＩＭカードが個人の身分の識別に用いられ、使用者がＳＩＭカードを持っていなければ携帯電話を起動して使用することはできない。携帯電話とＳＩＭカードの連通に用いられるＳＩＭカードコネクタは、コネクタ上の導電端子のソルダー端が携帯電話の回路板に接続され、並びに導電端子の接触端がＳＩＭカードの接触片と接触することで信号連通の目的が達成される。
【０００３】
ただし、周知のＳＩＭカードコネクタの導電端子の構造は、接触端に接触弾性を具備させるために、ほとんどは折り曲げの方式により該接触端がサスペンションアーム式とされ、これにより上下の撓み性を具備するものとされている。しかし、折り曲げの方式は折り曲げ部分の角度が材料と成形条件によりある固定値に制限され、この固定値のために折り曲げ後の高さが制限され、コネクタ全体の高さに影響が生じる。簡単に述べると、周知の導電端子の接触端は高さを減らせず、コネクタの高さも減らすことができず、ゆえに、製品の小型化の発展傾向に適合しない。且つ周知の導電端子は機能要求に符合するため、その必要な材料コストは相当に高い。
【考案の開示】
【考案が解決しようとする課題】
【０００４】
本考案の目的は、小型化に向けての発展に符合するデジタルカードコネクタを提供することにあり、それは、その導電端子の構造が成形条件に制限されず、接触端が良好な弾性を具え、且つ高さを有効に減らすことができ、コネクタ全体の高さを減らすことができるものとする。
【０００５】
上述の目的を達成するため、本考案のデジタルカードコネクタは、複数の端子収容溝を具えた絶縁フレームと、該端子収容溝に取り付けらた導電端子とを具え、そのうち該導電端子が本体に上向きに傾斜するように加圧加工されてなる接触アームを具え、該接触アームが連接部と接触部を具え、また、該本体にあって該接触部と反対の両側の側端に、上向きのフックが設けられ、該本体にあって該連接部と反対の位置にソルダーアームが設けられ、このような構造により、接触アームが接触弾性を具備するのみならず、有効に高さを減らし、小型化の発展傾向に適合するものとされている。
【課題を解決するための手段】
【０００６】
請求項１の考案は、加入者識別モジュール（ＳＩＭ）カードのデータ伝送に用いられるデジタルカードコネクタであって、
絶縁フレームであって、デジタルカードを収容するカードスロットを共同で形成する本体、両側辺、及び底辺を具え、該底面上に複数の端子収容溝が設けられ、各端子収容溝は底面を貫通する開口部と開口部の周辺の干渉部を具えている、上記絶縁フレームと、
複数の導電端子であって、複数の端子収容溝内に収容され、各導電端子は本体を具え、該本体に、端子収容溝の開口部に対応するように、上向きに傾斜する接触アームが一体に形成され、該接触アームが連接部と接触部を具え、また、干渉部に対応するように、一体に上向きのフックが形成され、該接触アームにあって連接部と反対の位置にソルダーアームが設けられた、上記複数の導電端子と、
を包含し、複数の導電端子が下から上に絶縁フレームの端子収容溝に取り付けられ、導電端子の接触部が端子収容溝の開口部に取り付けられ、フックが端子収容溝の干渉部と干渉を形成するよう組み合わされ、ソルダーアームが携帯電話の回路板に半田付けされることを特徴とする、デジタルカードコネクタとしている。
請求項２の考案は、請求項１記載のデジタルカードコネクタにおいて、端子収容溝が三つが等距離に一列に配列され、二列が相互に対応するように絶縁フレームの底面に配置されたことを特徴とする、デジタルカードコネクタとしている。
請求項３の考案は、請求項２記載のデジタルカードコネクタにおいて、導電端子のフックが本体と垂直に加圧加工により形成されたことを特徴とする、デジタルカードコネクタとしている。
請求項４の考案は、請求項３記載のデジタルカードコネクタにおいて、開口部が絶縁フレームの底面の底側に位置し、更に導電端子の連接部に圧接されるストッパ壁が設けられたことを特徴とする、デジタルカードコネクタとしている。
請求項５の考案は、請求項４記載のデジタルカードコネクタにおいて、導電端子の接触アームの接触部が円弧状に形成され、ＳＩＭカードの接触片との接触に供されることを特徴とする、デジタルカードコネクタとしている。
請求項６の考案は、請求項５記載のデジタルカードコネクタにおいて、導電端子のソルダーアームが折り曲げられて表面実装に供されることを特徴とする、デジタルカードコネクタとしている。
請求項７の考案は、請求項１記載のデジタルカードコネクタにおいて、シールドを更に包含し、該シールドが絶縁フレームの底面上方を被覆し、該シールドは第１遮蔽面と、第１遮蔽面の対向する両側に位置して絶縁フレームの両側面に取り付けられる第２、３遮蔽面とを具えたことを特徴とする、デジタルカードコネクタとしている。
請求項８の考案は、請求項７記載のデジタルカードコネクタにおいて、シールドの第２、３遮蔽面と絶縁フレームの両側辺の側端に、相互に係合する第１係合体と第２係合体が設けられ、該第１係合体が絶縁フレーム両側辺に設置された係合柱とされ、第２係合体が、第２、３遮蔽面のに第１係合体に対応するように設けられた係止溝とされたことを特徴とする、デジタルカードコネクタとしている。
請求項９の考案は、請求項８記載のデジタルカードコネクタにおいて、シールドの第２、３遮蔽面と絶縁フレームの両側辺の側端に、更に挟持アームと挟持溝が設けられてシールドがこれにより更に強固に組み合わされることを特徴とする、デジタルカードコネクタとしている。
請求項１０の考案は、請求項９記載のデジタルカードコネクタにおいて、絶縁フレームの両側面及び底面が共同で形成するカードスロットの長さが延長されて異なる規格のＳＩＭカードの挿入が可能とされたことを特徴とする、デジタルカードコネクタとしている。
【考案の効果】
【０００７】
本考案は、小型化に向けての発展に符合するデジタルカードコネクタを提供し、それは、その導電端子の構造が成形条件に制限されず、接触端が良好な弾性を具え、且つ高さを有効に減らすことができ、コネクタ全体の高さを減らすことができる。
【考案を実施するための最良の形態】
【０００８】
図１から図３に示されるように、本考案のデジタルカードコネクタ１は、絶縁フレーム２、複数の導電端子３を具え、そのうち、絶縁フレーム２はデジタルカードを収容するカードスロット２４を共同で形成する本体２０、両側辺２１、２２、及び底辺２３を具えている。該底面２３に複数の端子収容溝２５が設けられ、それは三つが等距離に一列に配置され、相互に対応するように２列が絶縁フレームの底面に配置され、各端子収容溝２５は底面２３を貫通する開口部２５１と開口部２５１の周辺の干渉部２５２を具え、そのうち開口部２５１は絶縁フレーム２の底面２３の底側に位置し、更にストッパ壁２６（図３参照）が設けられて、後述の導電端子３の連接部３１０が圧接される（後述する）。
【０００９】
複数の導電端子３は端子収容溝２５内に収容され、各導電端子３は本体３０を具え、該本体３０に、端子収容溝２５の開口部２５１に対応するように、上向きに傾斜する接触アーム３１が一体に形成され、該接触アーム３１は連接部３１０と接触部３１１を具え、該接触部３１１は円弧状に形成され、ＳＩＭカード（図示せず）の接触片との接触に供される。また、干渉部２５２に対応するように、一体に上向きのフック３２が形成され、該フック３２は本体３０と垂直に形成され、該干渉部２５２内で干渉を形成するように組み合わされる。該接触アーム３１にあって連接部３１０と反対の位置にソルダーアーム３３が設けられ、該ソルダーアーム３３は折り曲げられて表面実装に供される。
【００１０】
図３に示されるように、本考案を組み立てる時は、導電端子３が下から上に絶縁フレーム２の端子収容溝２５に取り付けられ、導電端子３の接触部３１１が端子収容溝２５の開口部２５１に取り付けられてＳＩＭカードの接触片との接触に供される。導電端子３のフック３２と端子収容溝２５の干渉部２５２が干渉を形成するよう組み合わされ、導電端子３が絶縁フレーム２に固定される。また、ソルダーアーム３３が携帯電話の回路板に半田付けされる。こうして、本考案の導電端子３は一体加圧方式で形成され、良好な接触弾性を具備し、且つ高さを有効に減らすことができ、コネクタの全体高さを減らすことができ、小型化の発展傾向に符合する。
【００１１】
続けて、図４、５を参照されたい。本考案の第２実施例では、該デジタルカードコネクタ１’は同様に、絶縁フレーム２’と複数の導電端子３’を包含し、更にシールド４’を包含する。そのうち絶縁フレーム２’の形態はシールド４’の取り付けに合わせて僅かに異なり、即ちその両側辺２１’、２２’の側端に第１係合体が設けられ、それは絶縁フレーム２’の両側辺に設けられた係止柱５０’とされて、後述のシールド４’の第２係合体と相互に係合する。該導電端子３’の構造は第１実施例と同じである。
【００１２】
該シールド４’は絶縁フレーム２’の底面２３’上方を被覆し、電磁干渉を防止し、それは第１遮蔽面２０’と該第１遮蔽面４０’と、該第１遮蔽面４０’の対向する両側に設けられた第２、３遮蔽面４１’、４２’を具え、そのうち、第２、３遮蔽面４１’、４２’に係止柱５０’に対応する係止溝４３’（第２係合体とされる）が設けられ、相互に係合後に該シールド４’が絶縁フレーム２’に取り付けられる。また、該シールド４’の第２、３遮蔽面４１’、４２’と絶縁フレーム２’の両側辺２１’、２２’の側端に、更に挟持アーム４４’と挟持溝５１’が設けられ、組合せ時に該挟持アーム４４’が該挟持溝５１’を貫通して絶縁フレーム２’の底面２３’の底端に係合し、これによりシールド４’が更に強固に取り付けられる。こうして、本実施例はシールド４’の設置により、外界の電磁干渉を防止する機能を提供する。
【００１３】
また、図６、７に示される本考案の第３実施例によると、デジタルカードコネクタ１”の構造は第２実施例と同じく、絶縁フレーム２”と複数の導電端子３”を包含し、且つシールド４”を具えている。唯一の違いは、第３実施例では絶縁フレーム２”の両側面２１”、２２”及び底面２３”が共同でカードスロットを形成しそれは深さが増されて異なる規格のＳＩＭカードの挿入が行えるものとされ、即ち、両側辺２１”、２２”が延伸されている。こうして同様に本考案の目的を達成するのみならず、異なるサイズのＳＩＭカードを挿入できる機能を提供する。
【００１４】
総合すると、本考案のデジタルカードコネクタは確実に予期された目的を達成し、実用新案登録の要件を具備する。なお、以上の実施例は本考案の実施範囲を限定するものではなく、本考案に基づきなしうる細部の修飾或いは改変は、いずれも本考案の請求範囲に属するものとする。
【図面の簡単な説明】
【００１５】
【図１】本考案のデジタルカードコネクタの第１実施例の立体分解図である。
【図２】図１の組合せ平面図である。
【図３】図２の３−３断面図である。
【図４】本考案のデジタルカードコネクタの第２実施例の立体分解図である。
【図５】図４の組合せ平面図である。
【図６】本考案のデジタルカードコネクタの第３実施例の立体分解図である。
【図７】図６の組合せ平面図である。
【符号の説明】
【００１６】
１、１’、１”  デジタルカードコネクタ          ２、２’、２”  絶縁フレーム
３、３’、３”  導電端子                        ４、４’、４”  シールド
２１、２２  両側辺                              ２３  底面
２４  カードスロット                            ２５  端子収容溝
２６  ストッパ壁                                ２５１  開口部
２５２  干渉部                                  ３０  本体
３１  接触アーム                                ３２  フック
３３  ソルダーアーム                            ３１０  連接部
３１１  接触部                                  ４０’  第１遮蔽面
４１’、４２’  第２、３遮蔽面                  ４３’  係止溝
４４’  挟持アーム                              ５０’  係止柱
５１’  挟持溝
【図１】
0003113412.tif 000003
【図２】
0003113412.tif 000004
【図３】
0003113412.tif 000005
【図４】
0003113412.tif 000006
【図５】
0003113412.tif 000007
【図６】
0003113412.tif 000008
【図７】
0003113412.tif 000009